(57)【要約】【課題】長期間使用してもボール弁がインキと反応せず、弁機構が有効に作動し、またインキ出が阻害されることのないインキの逆流防止機構付のボールペンレフィールを提供する。【解決手段】ボール３１を回転自由に抱持したボールペンチップ３が継手２を介してインキ収容管１に接続されたボールペンレフィールにおいて、インキ収容管内に、静的には高い粘性を有し、筆記時のボールの回転により粘性が低下するゲルインキＩを充填し、インキの後端にインキの消耗とともにインキ面に追従するグリース状の逆流防止材５を配置し、継手内に弁座２１を形成するとともに、合成樹脂からなり、比重がインキよりも小さなボール弁４を配置し、ボールペンチップを上向きにしたときに、ボール弁がインキの浮力により浮上し、弁座に着座してインキの逆流を防止する。【選択図】　図２
2004066747.tif 000002
【特許請求の範囲】
【請求項１】
ボールを回転自由に抱持したボールペンチップが継手を介してインキ収容管に接続されたボールペンレフィールにおいて、
前記インキ収容管内には、静的には高い粘性を有し、筆記時のボールの回転により粘性が低下するゲルインキが充填され、該インキの後端にインキの消耗とともにインキ面に追従するグリース状の逆流防止材が配置され、
前記継手内には弁座が形成されるとともに、合成樹脂からなり、比重がインキよりも小さなボール弁が配置され、
前記チップを上向きにしたときに、該ボール弁がインキの浮力により浮上し、該弁座に着座してインキの逆流を防止することを特徴とするボールペンレフィール。
【発明の詳細な説明】
【０００１】
【発明の属する技術分野】
本発明は、インキの逆流防止機構付のボールペンレフィールに関するものである。
【０００２】
【従来の技術】
最近、インキ収容管内に、静的には高い粘性を有し、筆記時のボールの回転により粘性が低下するゲルインキと称する水性インキを充填したボールペンが数多く実用化されている。このゲルインキは油性インキに比べると粘性が低いので、インキ収容管の尾端開口から漏れる危険性が大きい。このため、インキの後端にインキの消耗とともにインキ面に追従するグリース状の逆流防止材を配置し、この逆流防止材でインキが洩れないように封止している。
【０００３】
かかるボールペンで上向き筆記をする場合のように、ボールを回転自由に抱持したボールペンチップを上向きにするとき、ボールの直下のインキが無くなると、インキのヘッドが逆流防止材に直接加わるので逆流防止材が破壊し、インキが漏れ出す危険性がある。このため、ボールをスプリングで弾発してボールペンチップの先端内向き突起に圧接してボールとボールペンチップの先端内向き縁で弁機構を構成し、インキのヘッドが逆流防止材に加らないようにしている。しかし、ボールとボールペンチップの先端内向き突起からなる弁機構はシール性が不完全であるので、ボールとボールペンチップの隙間から空気が侵入し易い。そこで、ボールペンチップをインキ収容管に接続するための継手内に、ボール弁と弁座からなる弁機構を設け、ボールペンチップを上向きにしたときにボール弁が弁座に着座して弁機構が閉じ、仮にボール直下に空気が侵入しても、この弁機構より下のインキのヘッドが逆流防止材に加わらないようにすることが多い。
【０００４】
【発明が解決しようとする課題】
この弁機構のボール弁は、通常は比重がインキよりも大きな金属球からなり、ボールペンチップを上向きにするとボール弁がインキ内を降下して継手内に形成された弁座に着座するようになっている。このため、長期間使用しているとボール弁がインキと反応し、表面が腐食することがある。そして、腐食したボール弁の表面は粗面となり、弁座に着座したときのシール性が不完全になる不具合がある。また、ボール弁とインキとの反応成生物がボールペンチップ先端の隙間に詰まり、インキの流れを阻害してインキ出が不充分になる不具合がある。
【０００５】
そこで本発明は、長期間使用してもボール弁がインキと反応せず、弁機構が有効に作動し、またインキ出が阻害されることのないインキの逆流防止機構付のボールペンレフィールを提供すること目的とする。
【０００６】
【課題を解決するための手段】
かかる目的を達成するために、本発明は、ボールを回転自由に抱持したボールペンチップが継手を介してインキ収容管に接続されたボールペンレフィールにおいて、インキ収容管内に、静的には高い粘性を有し、筆記時のボールの回転により粘性が低下するゲルインキを充填し、インキの後端にインキの消耗とともにインキ面に追従するグリース状の逆流防止材を配置し、継手内に弁座を形成するとともに、合成樹脂からなり、比重がインキよりも小さなボール弁を配置し、ボールペンチップを上向きにしたときに、ボール弁がインキの浮力により浮上し、弁座に着座してインキの逆流を防止する。
【０００７】
【発明の実施の形態】
以下に、図面に基づいて本発明の実施の形態を具体的に説明する。図１において、透明な合成樹脂で成形されたインキ収容管１の先端開口に、同じく合成樹脂で成形された継手２が嵌着され、継手２の先端開口に、ペン体部であるボールペンチップ３が嵌着されている。インキ収容管１、継手２およびボールペンチップ３内にはインキＩが充填され、インキの尾端側にグリース状の逆流防止体５が配置されている。
かかるボールペンレフィールが軸筒内に搭載されるが、インキ収容管を軸筒と同等の太さとし、このボールペンレフィール自体をボールペンとして使用することも可能である。
【０００８】
インキＩは、着色剤に染料を使用するものであり、染料の他に樹脂、増粘剤、水溶性溶剤を含み、必要に応じて分散剤、防腐剤などを含有し、静的には高い粘性を有し、筆記時のボールの回転により粘性が低下するゲルインキである。このインキＩの粘度は２０ｍＰａ・ｓ以上である。また、逆流防止体５は、ポリブデン、シリコーンオイル、鉱物油などを主成分とし、シリカゲル、金属石鹸などで適度に増粘させたものである。
【０００９】
合成樹脂で成形された継手２は、中腹部に形成された鍔部２３の前方がテーパー部２４あり、その中心孔に、前述のとおり、ボールペンチップ３が嵌着される。鍔部２３の尾端側が嵌着筒部２５であり、嵌着筒部２５がインキ収容管１の先端開口に圧入されている。鍔部２３の内部にテーパー状の弁座２１が形成されている。また、継手２の尾端開口は、図３に示すように、内部形状が円形以外の異形をした異形開口部２２である。
【００１０】
弁座２１と異形開口部２２の間にボール弁４が配置されている。ボール弁４は合成樹脂にて中空に成形された球体であり、全体の比重がインキＩよりも小さい。そして、ボール弁４が弁座２１に着座するとインキＩの通過を阻止する。つまり、ボール弁４と弁座２１で弁機構を構成している。また、ボール弁４はインキ収容管１の方向に移動したときは異形開口部２２に係止し、このときインキＩはボール弁４の周囲を通過できるようになっている。従って、異形開口部２２の形状は、ボール弁４が係止してインキ収容管１の方向に移動せず、かつインキＩかボール弁４の周囲を通過できるものであればよい。
【００１１】
ボールペンチップ３はステンレスにて砲弾型に成形されたものであり、先端のボールハウス内に、例えば外径が０．５ｍｍであり、超硬合金からなるボール３１が回転自由に抱持されている。ボールペンチップ３内には小さなスプリング３２が配置されており、ボール３１はこのスプリング３２で弾発され、非筆記時においては、ボールペンチップ３先端の内向き突起に圧接している。そして、筆記時においては、筆圧によりボール３１が後退してインキが流出するようになっている。
【００１２】
しかして、通常のボールペンチップ３を下向きにする筆記の場合は、図１に示すように、ボール弁４はインキＩの浮力により上方に移動して異形開口部２２に係止するが、インキＩはボール弁４の周囲を通過できるので、ボール３１にインキＩが十分に供給されてスムーズに筆記することができる。
次に、上向き筆記の場合のように、ボールペンチップ３を上向きにすると、図２に示すように、ボール弁４はインキＩの浮力により上方に移動して弁座２１に着座してインキＩの通過を遮断する。従って、仮にボール３１の直下に空気が侵入してもインキＩのヘッドは逆流防止材５には加わらず、逆流防止材５の破壊が防止され、インキ洩れを回避することができる。
そして、ボール弁４は合成樹脂で成形されているのでインキＩと反応せず、ボール弁４の表面が腐食することがなく、ボール弁４と弁座２１からなる弁機構は長期間に渡って有効に作動する。また、インキＩとの反応成生物も生成しないので、ボールペンチップ４内部の詰まりが回避され、スムーズに筆記することができる。
【００１３】
【発明の効果】
以上説明したように、本発明は、ボールを回転自由に抱持したボールペンチップが継手を介してインキ収容管に接続されたボールペンレフィールにおいて、インキ収容管内に、静的には高い粘性を有し、筆記時のボールの回転により粘性が低下するゲルインキを充填し、インキの後端にインキの消耗とともにインキ面に追従するグリース状の逆流防止材を配置し、継手内に弁座を形成するとともに、合成樹脂からなり、比重がインキよりも小さなボール弁を配置し、ボールペンチップを上向きにしたときに、ボール弁がインキの浮力により浮上し、弁座に着座してインキの逆流を防止するので、長期間使用してもボール弁がインキと反応せず、弁機構が有効に作動し、またインキ出が阻害されることのないインキの逆流防止機構付のボールペンレフィールとすることができる。
【図面の簡単な説明】
【図１】本発明実施例の下向き筆記の説明図である。
【図２】本発明実施例の上向き筆記の説明図である。
【図３】異形開口部の断面図である。
【符号の説明】
１　　インキ収容管
２　　継手
２１　　弁座
２２　　異形開口部
３　　ボールペンチップ
３１　　ボール
３２　　スプリング
４　　ボール弁
５　　逆流防止材
Ｉ　　インキ
【図１】
2004066747.tif 000003
【図２】
2004066747.tif 000004
【図３】
2004066747.tif 000005